(57)【特許請求の範囲】
【請求項１】
フィルタにより流体の濾過を行う濾過装置の一部として、前記フィルタを内蔵するフィルタ容器を着脱可能に取り付ける着脱装置であって、
前記フィルタ容器の一端に前記フィルタと連通する管路を内部に有し前記フィルタ容器から突出するように前記フィルタ容器に取り付けられている第一取付突起と、
前記流体の第一管路が結合され、円筒形状部を有し、前記円筒形状部の側面に前記第一取付突起を受容可能な開口溝を有する回転コマと、
前記回転コマの前記円筒形状部の前記側面を保持する内周面を有する第一取付突起保持部であって、前記第一取付突起保持部の外側と前記内周面とを連通する切欠き部を有する第一取付突起保持部と、を具備し、
前記切欠き部を介して前記開口溝に前記第一取付突起の挿入が行われた状態で、前記回転コマが回転して、前記第一取付突起が、前記第一取付突起保持部の前記内周面と前記回転コマとの間に挟持がなされるフィルタ着脱装置。
【請求項２】
請求項１に記載のフィルタ着脱装置であって、
前記フィルタ容器の他端に前記フィルタと連通する管路を内部に有し前記フィルタ容器から突出する第二取付突起と、
前記流体の第二管路が結合され、円筒形状部を有し、前記円筒形状部の側面に前記第二取付突起を受容可能な第二開口溝を有する他の回転コマと、
前記他の回転コマの前記円筒形状部の前記側面を保持する内周面を有する第二取付突起保持部であって、前記第二取付突起保持部の外側と前記内周面とを連通する第二切欠き部を有する第二取付突起保持部と、をさらに具備し、
前記第二切欠き部を介して前記第二開口溝に前記第二取付突起の挿入が行われた状態において、前記第一取付突起の回転に伴って前記回転コマが回転する際に、前記第二取付突起が回転して前記他の回転コマが回転し、前記第二取付突起が、前記第二取付突起保持部の前記内周面と前記他の回転コマとの間に挟持がなされるフィルタ着脱装置。
【請求項３】
請求項２に記載のフィルタ着脱装置であって、
前記回転コマは、前記第一取付突起が前記開口溝に挿入可能に前記開口溝と前記切欠き部が合致する合致位置と、前記開口溝と前記切欠き部とが合致しない非合致位置とを有して回転が可能なように前記回転コマの前記側面が前記第一取付突起保持部の前記内周面に保持され、
前記第一取付突起の前記挿入は前記合致位置において行われ、前記第一取付突起の前記挟持は前記開口溝に前記第一取付突起が挿入された後に前記非合致位置において行われるフィルタ着脱装置。
【請求項４】
請求項３に記載のフィルタ着脱装置であって、
前記他の回転コマは、前記合致位置では前記第二取付突起が前記第二開口溝に挿入可能に前記第二開口溝と前記第二切欠き部とが合致し、前記非合致位置では前記第二開口溝と前記第二切欠き部が合致しないように、かつ前記回転が可能なように前記他の回転コマの前記側面が前記第二取付突起保持部の前記内周面に保持され、
前記第二取付突起の前記挿入は前記合致位置において行われ、前記第二取付突起の前記挟持は前記開口溝に前記第二取付突起が挿入された後に前記非合致位置において行われるフィルタ着脱装置。
【発明の詳細な説明】
【技術分野】
【０００１】
本願発明は、たとえば、内部にフィルタ等が内蔵されるフィルタ容器の着脱システムに関する。
【背景技術】
【０００２】
流体の濾過を目的とした装置の管路では、その管路の一部に、フィルタ等が内蔵され、着脱可能に配置されるフィルタ容器を使用する場合がある。たとえば、所定量の濾過が終了した際などに、古いフィルタ容器は取り外されて新しいフィルタ容器に交換される。このような管路では、上流側の管路の端部と下流側の管路の端部との間に、管路の一部を欠いたマニホールドを具備している。フィルタ容器は、この上流側の管路の端部と下流側の管路の端部との間に、着脱可能に取り付けることが可能な構造を有している。フィルタ容器には、内部に流路が形成され、その流路の両端に流路入口と流路出口を有している。流路には、フィルタ等が配置される。一般に、上流側の管路の端部と下流側の管路の端部は、マニホールドの一部として構成されていて、フィルタ容器がマニホールドに取り付けられると、流体が流入するフィルタ容器の流路入口が上流側管路の端部と接合し、流体が排出される流路出口が下流側管路の端部と接合する。これで、流路の一部を欠いている管路にフィルタ容器内の流路が結合され、流れ回路システムの管路が完成する。たとえば、特許文献１から特許文献３には、ホルダとしてのマニホールドに、着脱可能なフィルタ容器を取り付ける例が記載されている。【０００３】
特許文献１から特許文献３には、いずれも既設管路の一部として、着脱して交換が可能なフィルタ容器で管路を形成する例が開示されている。特許文献１から特許文献３では、マニホールド側の管路の一端と他端との間の距離が不変である。いずれの特許文献でも、フィルタ容器は、フィルタ容器の一端にフィルタ容器に濾過すべき流体が流れ込む流路入口を有し、その流路入口と反対側のフィルタ容器の他端に流路出口が配置されている。そして、流路入口の延在する方向と、流路出口の延在する方向とが同一方向となっている。【０００４】
特許文献１および２は、フィルタ容器を枢動運動により、マニホールドに取り付ける例である。特許文献１の例では、フィルタ容器は収縮および伸長が可能な構造になっていて、フィルタ容器を縮めた状態で、フィルタ容器の下側の管路端部をマニホールドの枢軸に嵌めこみ、フィルタ容器を縮めた状態で枢動動作によりフィルタ容器の上側をマニホールド内に移動させ、フィルタ容器を伸長させて、フィルタ容器の管路をマニホールドの管路に嵌めこむように結合させる。しかし、フィルタ容器に収縮／伸長の機能を持たせると、フィルタ容器の構造が複雑になり、フィルタ容器の製造のためのコストおよび耐久性の低下の問題が生じる。【０００５】
一方、特許文献２の例では、フィルタ容器には収縮／伸長の機能がなく、フィルタ容器の下側の管路端部を球体として、その球体を枢軸とし、枢動動作によりフィルタ容器の上側をマニホールド内に移動させて、フィルタ容器の管路をマニホールドの管路に嵌めこむように結合させるものである。しかし、このような枢動動作によるフィルタ容器の取り付けでは、枢軸と反対側端の可動域が大きいため、シール部材の摺擦距離が長く、シール部材の摩耗が大きくなって、発塵の問題が生じる。【０００６】
これに対し、特許文献３では、枢動動作を利用せずに、フィルタ容器を着脱可能に構成する例が開示されている。特許文献３では、フィルタ容器は、マニホールドの上流側の管路の端部と下流側の管路の端部の間に、それらの管路を結ぶ仮想直線に対して垂直方向から、またフィルタ容器をフィルタ容器の流路入口と流路出口の方向がその仮想直線の方向となる方向に、並進動作で、装着される。
【先行技術文献】
【特許文献】
【０００７】
【特許文献１】米国特許第５３９７４６２号公報
【特許文献２】特開２００７−２５３１５４号公報
【特許文献３】米国特許出願公開２０１３／０２２８５０９号公報
【発明の概要】
【発明が解決しようとする課題】
【０００８】
流体の濾過を目的とした装置において、フィルタ容器をマニホールドに着脱可能に取り付けることを可能とするためには、流体の漏れを防ぐために、フィルタ容器の流体出入口とマニホールドの流体出入口との接合部が、高い密封度を有している必要がある。しかし、特許文献３に開示されるように、マニホールド側の管路の一端と他端との間の距離が不変である上にフィルタ容器を並進動作で取り付けるような着脱装置において、フィルタ容器の流体出入口とマニホールドの流体出入口との接合部におけるシール材の高い密着度を確保すると、フィルタ容器の流体出入口とマニホールドの流体出入口との接合部の摩擦が大きくなり、着脱作業が困難になる。さらには、着脱時の摩擦が大きいことにより、接合部におけるシール材の摩耗が激しく、磨耗によりシール材から生じた塵で流体品質が低下したり、シール材の変形に伴って密着度が低下して、フィルタ容器としての耐久性が低下する問題がある。したがって、マニホールド側の管路の一端と他端との間の距離が不変である上にフィルタ容器を並進動作で取り付けるような着脱装置において、高い密着度を確保しながら容易な着脱をすることが求められる。特に、フィルタ容器を脱着させる際に、簡易な方法で、取り付けられることが望まれる。
【課題を解決するための手段】
【０００９】
フィルタにより流体の濾過を行う濾過装置の一部として、前記フィルタを内蔵するフィルタ容器を着脱可能に取り付ける着脱装置であって、その一端に前記フィルタと連通する管路を内部に有し前記フィルタ容器から突出するように前記フィルタ容器に取り付けられている第一取付突起と、前記流体の第一管路が結合され、前記第一取付突起を受容可能な開口溝を有する回転コマと、前記回転コマを回転可能に保持し、内周面と、前記内周面の外側と連通する切欠き部を有する第一取付突起保持部と、を具備し、前記切欠き部を介して前記開口溝に前記第一取付突起が挿入された状態で、前記回転コマが回転して、前記第一取付突起が、前記第一取付突起保持部の前記内周面と前記回転コマとの間に挟持されるフィルタ着脱装置により解決する。
【発明の効果】
【００１０】
本発明により、フィルタ容器の着脱が容易となる。
【図面の簡単な説明】
【００１１】
【図１】本発明が適用される実施の形態１の着脱装置であって、フィルタ容器をマニホールドに装着前の状態を示している。
【図２】本発明が適用される実施の形態１の着脱装置であって、フィルタ容器をマニホールドに装着後であって固定前の状態を示している。
【図３】本発明が適用される実施の形態１の着脱装置であって、フィルタ容器をマニホールドに装着後であって固定後の状態を示している。
【図４Ａ】図１の断面４Ａ−４Ａを示した図である。
【図４Ｂ】図２の断面４Ｂ−４Ｂを示した図である。
【図４Ｃ】図３の断面４Ｃ−４Ｃを示した図である。
【図５】図１の断面５−５を示した図である。
【図６】図２の断面６−６を示した図である。
【図７】図３の断面７−７を示した図である。
【発明を実施するための形態】
【００１２】
（実施の形態１）
図１および図５を参照して、本願発明の実施の形態１について説明する。図１は、本発明の実施の形態１において、フィルタにより流体の濾過に使用する濾過装置におけるフィルタ容器着脱装置１を示している。フィルタ容器着脱装置１は、マニホールド３に取り付けられていて、フィルタ（不図示）が内蔵されているフィルタ容器２の着脱をする着脱装置である。図１は、フィルタ容器２が、フィルタ容器着脱装置１から分離している状態を示している。図５は、フィルタ容器２が、フィルタ容器着脱装置１から分離している状態における第一取付突起保持部３１の断面を示した図であって、図１の断面５―５に対応した図である。
【００１３】
フィルタ容器２は、代表的には、円筒形状をしており、その内部空間にフィルタが内蔵されたカプセル形状の容器である。内部空間には、内部管路２ａと内部管路２ｂとが接続されている。フィルタ容器２は、その一端側に、フィルタ容器２から突出するように延在する第一取付突起２１を有している。また、フィルタ容器２は、第一取付突起２１が配置される側と反対側である他端側に第二取付突起２２を有している。フィルタ容器２の内部のフィルタが配置されている内部空間（不図示）には内部管路２ａと内部管路２ｂとが接続されている。第一取付突起２１は、回転摺動面２１ａと並進摺動面２１ｂを側面に有している。第二取付突起２２は、回転摺動面２２ａと並進摺動面２２ｂを側面に有している。第一取付突起２１は端部に端面２１ｃを有しており、第二取付突起２２は端部に端面２２ｃを有している。端面２１ｃと端面２２ｃとは、傾斜を有する傾斜面である。内部管路２ａは内部空間（不図示）から第一取付突起２１内に配設され、第一取付突起２１の端面２１ｃに達して、開口を形成している。内部管路２ｂはその内部空間から第二取付突起２２内に配設され、第二取付突起２２の端面２２ｃに達して、開口を形成している。それらの開口の周囲には、開口から流体が外側に流れ出さないようなパッキンなどのシール材２３が配置される。
【００１４】
フィルタ容器２は、フィルタ容器２から第一取付突起２１と第二取付突起２２とに向かう方向に画定される回転中心軸２ｅを有している。その回転中心軸２ｅは、第一取付突起２１の回転中心軸２ｅとして、および第一取付突起２１の回転中心軸２ｅと同心となる第二取付突起２２の回転中心軸２ｅとして画定される。回転摺動面２１ａと回転摺動面２２ａは、曲面として形成されている。その曲面形状は、フィルタ容器２の回転中心軸２ｅに垂直な面で切った断面が、フィルタ容器２の回転中心軸２ｅまわりの仮想円の外周の一部を形成する形状となっている。一方、並進摺動面２１ｂと並進摺動面２２ｂは、それぞれ、一の平面と、その反対側に位置する他の平面との一対の平面の形で形成されている。その平面形状は、フィルタ容器２の回転中心軸２ｅに垂直な面で切った断面は、フィルタ容器２の回転中心軸２ｅまわりの仮想円の弦に対応する形状となっている。並進摺動面２１ｂと並進摺動面２２ｂとを平行に形成することができる。また、並進摺動面２１ｂと並進摺動面２２ｂとが、角度をもったように形成することもできる。並進摺動面２１ｂと並進摺動面２２ｂを構成するそれぞれの一対の平面のなす角度は、並進摺動面２１ｂと並進摺動面２２ｂとで平行である必要はなく、異なっていてよい。
【００１５】
フィルタ容器着脱装置１は、第一取付突起保持部３１と、第二取付突起保持部３２と、を具備している。第一取付突起保持部３１と、第二取付突起保持部３２とは、マニホールド３に取り付けられている。第一取付突起保持部３１は回転コマ４１を回動可能に保持している。第二取付突起保持部３２は回転コマ４２を回動可能に保持している。回転コマ４１および回転コマ４２は、いずれも軸対称形状をしている。たとえば、円錐台または円筒の形状をしている。その軸対称形状の回転軸は、回転コマ４１がフィルタ容器２の回転摺動面２１ａを保持した状態でのフィルタ容器２の回転中心軸２ｅであり、また回転コマ４２がフィルタ容器２の回転摺動面２２ａを保持した状態での、フィルタ容器２の回転中心軸２ｅである。
【００１６】
回転コマ４１には第一管路１１が接続されている。回転コマ４２には第二管路１２が接続されている。第一管路１１を上流管路として、第二管路１２を下流管路としてもよい。逆に、第二管路１２を上流管路として、第一管路１１を下流管路としてもよい。第一管路１１と第二管路１２との間には管路の欠落部がある。この欠落部にフィルタ容器２が着脱可能に取り付けられた際に、フィルタ容器２の内部空間が内部管路２ａと内部管路２ｂとを介して、第一管路１１と第二管路１２とが接続される。濾過される流体は、第一管路１１から内部管路２ａとフィルタ容器２の内部空間と内部管路２ｂとを経て第二管路１２へと導かれる。
【００１７】
第一取付突起保持部３１に保持された回転コマ４１は、フィルタ容器２の第一取付突起２１を脱着可能に保持する。第二取付突起保持部３２に保持された回転コマ４２は、フィルタ容器２の第二取付突起２２を脱着可能に保持する。第一取付突起保持部３１は、その中央部に円筒状の貫通孔を有している。第一取付突起保持部３１は、さらに、その貫通孔と第一取付突起保持部３１の外側とを連通する切欠き部３１ａを有している。その貫通孔の内周面３１ｂは曲面形状をしている。この貫通孔の内周面３１ｂの形状は、回転コマ４１の外周面の形状に対応する。この形状によって、回転コマ４１の外周が、貫通孔の内周面３１ｂに沿って回転し、その際に、回転コマ４１がフィルタ容器２の回転中心軸２ｅまわりに回転するようになっている。すなわち、貫通孔の内周面３１ｂの曲面形状は、回転コマ４１がフィルタ容器２の回転中心軸２ｅまわりの軸対称形状である。つまり、フィルタ容器２をマニホールド３に取り付けた状態におけるフィルタ容器２の回転中心軸２ｅに対して垂直な任意の断面において、フィルタ容器２の前記回転中心軸２ｅを中心とする円の弧の形状となっている。
【００１８】
同様に、第二取付突起保持部３２は、その中央部に円筒状の貫通孔を有している。第二取付突起保持部３２は、その貫通孔と第二取付突起保持部３２の外側とを連通する切欠き部３２ａを有している。その貫通孔の内周面３２ｂは曲面形状をしている。この貫通孔の内周面３２ｂの形状は、回転コマ４２の外周面の形状に対応する。この形状によって、回転コマ４２の外周が、貫通孔の内周面３２ｂに沿って回転し、その際に、回転コマ４２がフィルタ容器２の回転中心軸２ｅまわりに回転するようになっている。すなわち、貫通孔の内周面３２ｂの曲面形状は、回転コマ４２がフィルタ容器２の回転中心軸２ｅまわりの軸対称形状である。つまり、フィルタ容器２をマニホールド３に取り付けた状態におけるフィルタ容器２の回転中心軸２ｅに対して垂直な任意の断面において、フィルタ容器２の前記回転中心軸２ｅを中心とする円の弧の形状となっている。
【００１９】
第一取付突起保持部３１の切欠き部３１ａの幅は、少なくとも第一取付突起２１における一方の並進摺動面２１ｂと他方の並進摺動面２１ｂとの面間距離よりも大きい。一方の並進摺動面２１ｂと他方の並進摺動面２１ｂの面間距離が一定でない場合には、切欠き部３１ａの幅は、最大の面間距離よりも大きくする。同様に、第二取付突起保持部３２の切欠き部３２ａの幅は、少なくとも第二取付突起２１の一方の並進摺動面２２ｂと他方の並進摺動面２２ｂとの面間距離よりも大きい。一方の並進摺動面２２ｂと他方の並進摺動面２２ｂとの面間距離が一定でない場合には、切欠き部３２ａの幅は、最大の面間距離よりも大きくする。
【００２０】
回転コマ４１はその側面の周部に、フィルタ容器２の第一取付突起２１を受容可能な開口溝４１ａを具備していて、フィルタ容器２の第一取付突起２１を脱着可能に保持する。開口溝４１ａは、内部に内壁面４１ｂを具備する。フィルタ容器２の第一取付突起２１が開口溝４１ａに取り付けられる際には、第一取付突起２１の並進摺動面２１ｂが開口溝４１ａの内壁面４１ｂに沿って第一取付突起２１が回転コマ４１に挿入される。また、さらには、第一取付突起２１は、第一取付突起２１が回転コマ４１に挿入された際に、挿入方向に沿った係合部２１ｄを有している。特には、第一取付突起２１には、第一取付突起２１が回転コマ４１に挿入され際に、挿入方向に沿った係合部２１ｄを有するようにしてもよい。この場合、開口溝４１ａの内壁面４１ｂに、係合部２１ｄと係合して摺動可能な保持係合部４１ｃを配置する。さらに、保持係合部４１ｃが係合部２１ｄを支えて保持できるような構造にすることもできる。これにより、第一取付突起２１は、開口溝４１ａの保持係合部４１ｃに保持されながら、回転コマ４１内に挿入される。
【００２１】
同様に、回転コマ４２はその側面の周部に、フィルタ容器２の第二取付突起２２を受容可能な開口溝４２ａを具備していて、フィルタ容器２の第二取付突起２２を脱着可能に保持する。開口溝４２ａは、第一取付突起２１を受容する開口溝４１ａと同様に、内部に内壁面４２ｂを具備する。フィルタ容器２の第二取付突起２２が開口溝４２ａに取り付けられる際には、第二取付突起２２の並進摺動面２２ｂが開口溝４２ａの内壁面４２ｂに沿って第二取付突起２２が回転コマ４２に挿入される。また、さらには、第二取付突起２２は、第二取付突起２２が回転コマ４２に挿入された際に、挿入方向に沿った係合部２２ｄを有している。特には、第二取付突起２２には、第二取付突起２２が回転コマ４２に挿入され際に、挿入方向に沿った係合部２２ｄを有するようにしてもよい。この場合、開口溝４２ａの内壁面４２ｂに、係合部２２ｄと係合して摺動可能な保持係合部４２ｃを配置する。さらに、保持係合部４２ｃが係合部２２ｄを支えて保持できるような構造にすることもできる。これにより、第二取付突起２２は、開口溝４２ａの保持係合部４２ｃに保持されながら、回転コマ４２内に着脱可能に挿入される。
【００２２】
回転コマ４１の開口溝４１ａの第一管路１１の管路開口４１ｅが位置する面には、開口溝４１ａにフィルタ容器２の第一取付突起２１が挿入される方向に向かって傾斜している傾斜面４１ｄを有している。また、回転コマ４２の開口溝４２ａの第二管路１２の管路開口４２ｅが位置する面には、開口溝４２ａにフィルタ容器２の第二取付突起２２が挿入される方向に向かって傾斜している傾斜面４２ｄを有している。傾斜面４１ｄと傾斜面４２ｄとは、代表的には、開口溝４１ａと開口溝４２ａのそれぞれにフィルタ容器２の第一取付突起２１と第二取付突起２２とが挿入される方向の任意の位置における傾斜角が一定の平面であるが、その任意の位置における傾斜角が異なるような曲面でもよい。すなわち、傾斜面４１ｄと傾斜面４２ｄとの形状は、開口溝４１ａと開口溝４２ａとの開口側から奥側に向かって、任意の位置における傾斜面４１ｄと傾斜面４２ｄとの距離が縮まるような形状である。開口溝４２ａにフィルタ容器２の第二取付突起２２が挿入される状態において、開口溝４１ａにフィルタ容器２の第一取付突起２１が挿入され、開口溝４２ａにフィルタ容器２の第二取付突起２２が挿入される方向に、第一取付突起２１の端面２１ｃと第二取付突起２２の端面２２ｃとの距離が小さくなるような面である。
【００２３】
フィルタ容器２の第一取付突起２１の端面２１ｃの傾斜は、回転コマ４１の開口溝４１ａと同様に、開口溝４１ａにフィルタ容器２の第一取付突起２１が挿入される方向に向かって傾斜している。フィルタ容器２の第二取付突起２２の端面２２ｃの傾斜は、回転コマ４２の開口溝４２ａと同様に、開口溝４２ａにフィルタ容器２の第二取付突起２２が挿入される方向に向かって傾斜している。フィルタ容器２の第一取付突起２１の端面２１ｃと回転コマ４１の開口溝４１ａの傾斜面４１ｄとは、互いに相補的な形状をしている。同様に、フィルタ容器２の第二取付突起２２の端面２２ｃと回転コマ４２の開口溝４２ａの傾斜面４２ｄとは、互いに相補的な形状をしている。ここで相補的な形状とは、第一取付突起２１の端面２１ｃと第二取付突起２２の端面２２ｃとの傾斜が、フィルタ容器２をフィルタ容器着脱装置１に取り付けられる際、すなわち、開口溝４１ａにフィルタ容器２の第一取付突起２１が挿入され、開口溝４２ａにフィルタ容器２の第二取付突起２２が挿入される状態において、開口溝４１ａにフィルタ容器２の第一取付突起２１が挿入され、開口溝４２ａにフィルタ容器２の第二取付突起２２が挿入される方向に、第一取付突起２１の端面２１ｃと第二取付突起２２の端面２２ｃとの距離が小さくなるような面である。たとえば、開口溝４２ａにフィルタ容器２の第二取付突起２２が挿入される方向に向かって傾斜した平面または曲面である。
【００２４】
続いて、フィルタ容器着脱装置１が、いかに機能するかについて、図１から図９を参照して、説明する。図２は、フィルタ容器２をフィルタ容器着脱装置１に取り付けた状態を示している。図３は、フィルタ容器２をフィルタ容器着脱装置１に固定した状態を示している。図４Ａは、フィルタ容器２をフィルタ容器着脱装置１に取り付ける前の状態における第一取付突起保持部３１の上側から見た図を示している。図４Ｂは、フィルタ容器２をフィルタ容器着脱装置１に取り付けた状態における第一取付突起保持部３１の上側から見た図を示している。図４Ｃは、フィルタ容器２をフィルタ容器着脱装置１に取り付けて固定した状態における第一取付突起保持部３１の上側から見た図を示している。図６は、フィルタ容器２がフィルタ容器着脱装置１に取り付けられた状態における第一取付突起保持部３１の断面を示した図であって、図２の断面６―６に対応した図である。図７は、フィルタ容器２がフィルタ容器着脱装置１に固定された状態における第一取付突起保持部３１の断面を示した図であって、図３の断面７―７に対応した図である。
【００２５】
フィルタ容器２をフィルタ容器着脱装置１に取り付ける。その際には、回転コマ４１の開口溝４１ａの開口入口は、第一取付突起保持部３１の切欠き部３１ａの側を向いており、回転コマ４２の開口溝４２ａの開口入口は、第二取付突起保持部３２の切欠き部３２ａの側を向いている。第一取付突起保持部３１の切欠き部３１ａと第二取付突起保持部３２の切欠き部３２ａとを介して、フィルタ容器２の第一取付突起２１および第二取付突起２２を、それぞれ、回転コマ４１の開口溝４１ａと回転コマ４２の開口溝４２ａとの内部に挿入する。これは、断面図でみると、図４Ａおよび図５に示した状態から図４Ｂおよび図６に示した状態に移行する状態である。その際には、フィルタ容器２の第一取付突起２１の並進摺動面２１ｂが開口溝４１ａの内壁面４１ｂに沿って回転コマ４１に挿入されるとともに、第二取付突起２２の並進摺動面２２ｂが開口溝４２ａの内壁面４２ｂに沿って回転コマ４２に挿入される。
【００２６】
フィルタ容器２の第一取付突起２１および第二取付突起２２を、それぞれ、回転コマ４１の開口溝４１ａと回転コマ４２の開口溝４２ａとの内部に挿入する。フィルタ容器２の第一取付突起２１および第二取付突起２２を、それぞれ、回転コマ４１の開口溝４１ａと回転コマ４２の開口溝４２ａとの内部に挿入した状態では、開口溝４１ａと開口溝４２ａとの開口入口側に位置する第一取付突起２１および第二取付突起２２の回転摺動面２１ａは、それぞれ、第一取付突起保持部３１の内周面３１ｂおよび第二取付突起保持部３２内周面３２ｂよりも外側に位置する。これは、第一取付突起２１の端面２１ｃ上に配置されたシール材２３と、第二取付突起２２の端面２２ｃ上に配置されたシール材２３との反発力によって、回転コマ４１の開口溝４１ａと回転コマ４２の開口溝４２ａとの内部には、入りこむことができないようになっているからである。
【００２７】
続いて、フィルタ容器２を回転中心軸２ｅ周りに回転させる。これによって、第一取付突起２１および第二取付突起２２が回転する。第一取付突起２１および第二取付突起２２の回転に伴って、第一取付突起保持部３１内の回転コマ４１と第二取付突起保持部３２内の回転コマ４２が回転する。これは、断面図でみると、図４Ｂおよび図６に示した状態から図４Ｃおよび図７に示した状態に移行する状態である。このとき、第一取付突起保持部３１の内周面３１ｂおよび第二取付突起保持部３２の内周面３２ｂよりも外側に位置していた第一取付突起２１の回転摺動面２１ａおよび第二取付突起２２の回転摺動面２２ａが第一取付突起保持部３１の内周面３１ｂおよび第二取付突起保持部３２の内周面３２ｂに押し込まれる。これにより、第一取付突起２１の端面２１ｃ上に配置されたシール材２３が傾斜面４１ｄと、第二取付突起２２の端面２２ｃ上に配置されたシール材とが押し込まれて密着する。
【００２８】
フィルタ容器２は樹脂製であることを考慮する場合、第一取付突起２１の端面２１ｃと第二取付突起２２の端面２２ｃとの距離には、金属加工の場合に比べて、比較的大きめの製造公差が発生する。また、温度などの環境によって寸法の変化も生じうる。そこで、回転コマ４１と回転コマ４２は、フィルタ容器２の回転中心軸２ｅの方向にも移動が可能であるようにする。第一取付突起保持部３１の内周面３１ｂと回転コマ４１との間隔は、第一取付突起２１の回転摺動面２１ａが第一取付突起保持部３１の内周面３１ｂにより押し込まれた際に、第一取付突起２１の端面２１ｃと第二取付突起２２の端面２２ｃとの距離には、製造公差の範囲内で、シール材とが押し込まれて密着できる間隔として設定する。
【００２９】
これにより、並進動作およびフィルタ容器の回転動作のみでフィルタ容器の着脱が可能となるとともに、シール材の磨耗を低下させることができる。
【符号の説明】
【００３０】
１  フィルタ容器着脱装置
２  フィルタ容器
３  マニホールド
１１  第一管路  
１２  第二管路
２１  第一取付突起
２２  第二取付突起
３１  第一取付突起保持部
３２  第二取付突起保持部
４１  回転コマ
４２  回転コマ
【図１】
0006803405.tif 000002
【図２】
0006803405.tif 000003
【図３】
0006803405.tif 000004
【図４Ａ】
0006803405.tif 000005
【図４Ｂ】
0006803405.tif 000006
【図４Ｃ】
0006803405.tif 000007
【図５】
0006803405.tif 000008
【図６】
0006803405.tif 000009
【図７】
0006803405.tif 000010